(57)【要約】【課題】均等化に要する時間を短縮する電池充電装置および電池充電方法を提供する。【解決手段】複数の電池が直列接続される組電池と、第１の巻線と電池各々に並列に接続される複数の第２の巻線を有するトランスと、第１の巻線と直列接続され、組電池と並列接続される第１のスイッチと、電池と第２の巻線とを接続する配線の間に設けられる複数の第２のスイッチと、電池各々の電圧を計測する電圧計測部と、充電電流と放電電流を計測する電流計測部と、一定方向の電流を流すダイオードと、電池の平均ＳＯＣと最も小さいＳＯＣとの差から目標積算充電量を求め、放電電流とＳＯＣの最も小さい電池を特定し、特定した電池に対応する第２のスイッチを接続状態にさせ、放電電流と特定した電池への充電電流との差を積算した積算電流量が目標積算充電量になるまで第１のスイッチに接続と遮断を繰り返させる制御部と、を備える電池充電装置である。【選択図】図３
2014007885.tif 000002
【特許請求の範囲】
【請求項１】
複数の電池が直列に接続される組電池と、
第１の巻線と前記電池各々に並列に接続される複数の第２の巻線を有するトランスと、
前記第１の巻線と直列に接続され、前記組電池と並列に接続される第１のスイッチと、
前記電池と前記第２の巻線とを接続する配線の間に設けられる複数の第２のスイッチと、
前記電池各々の電圧を計測する電圧計測部と、
前記電池各々への充電電流と、前記組電池から出力される放電電流と、を計測する電流計測部と、
前記第２の巻線から前記電池へ一定方向の電流を流すダイオードと、
前記電圧計測部と前記電流計測部の計測結果を用いて前記第１のスイッチと前記第２のスイッチの切り替え制御を行うセルバランス処理を実行する制御部と、を備え、
前記制御部は、
前記電池各々の充電率を求めて平均充電率を求め、
前記平均充電率と最も小さい前記充電率との差から目標積算充電量を求め、
最も小さい前記充電率の電池を特定し、特定した電池に対応する第２のスイッチを接続状態にさせ、他の第２のスイッチを遮断状態にさせ、
特定した前記電池へ供給される前記充電電流と前記放電電流との差を積算して積算電流量を求め、
前記積算電流量が前記目標積算充電量になるまで前記第１のスイッチに接続と遮断を繰り返させる制御をする、
ことを特徴とする電池充電装置。
【請求項２】
前記制御部は、
前記積算電流量が前記目標積算充電量になるまで定電流で、特定した前記電池へ充電することを特徴とする請求項１に記載の電池充電装置。
【請求項３】
前記制御部は、
前記電池各々の電圧を計測する電圧計測部が計測した前記電池各々の開放回路電圧を取得し、前記開放回路電圧を用いて、開放回路電圧と充電率が関連付けられて記憶部に記憶されている情報を参照して、前記電池各々の充電率を求めて平均充電率を求めることを特徴とする請求項１に記載の電池充電装置。
【請求項４】
複数の電池が直列に接続される組電池と、第１の巻線と前記電池各々に並列に接続される複数の第２の巻線を有するトランスと、前記第１の巻線と直列に接続され、前記組電池と並列に接続される第１のスイッチと、前記電池と前記第２の巻線とを接続する配線の間に設けられる複数の第２のスイッチと、前記電池各々の電圧を計測する電圧計測部と、前記電池各々への充電電流と、前記組電池から出力される放電電流と、を計測する電流計測部と、前記第２の巻線から前記電池へ一定方向の電流を流すダイオードと、を有する電池充電装置の前記電池各々の電圧均等化方法であって、
前記電池各々の充電率を求めて平均充電率を求め、
前記平均充電率と最も小さい前記充電率との差から目標積算充電量を求め、
最も小さい前記充電率の電池を特定し、特定した電池に対応する第２のスイッチを接続状態にさせ、他の第２のスイッチを遮断状態にし、
特定した前記電池へ供給される前記充電電流と前記放電電流との差を積算して積算電流量を求め、
前記積算電流量が前記目標積算充電量になるまで前記第１のスイッチに接続と遮断を繰り返させる制御をする、
処理を行うことを特徴とする電圧均等化方法。
【請求項５】
前記電池各々の電圧を計測する電圧計測部が計測した前記電池各々の開放回路電圧を取得し、前記開放回路電圧を用いて、開放回路電圧と充電率が関連付けられて記憶部に記憶されている情報を参照して、前記電池各々の充電率を求めて平均充電率を求める処理を行うことを特徴とする請求項４に記載の電圧均等化方法。
【発明の詳細な説明】
【技術分野】
【０００１】
本発明は、複数の電池の電圧を均等にする電池充電装置および電圧均等化方法に関する。
【背景技術】
【０００２】
組電池に含まれる直列に接続される複数の電池の電圧を均等にするセルバランス回路としてトランス結合方式が知られている。トランス結合方式のセルバランス回路は、組電池に並列に接続される入力巻線と電池各々に対応し電池各々に並列に接続される出力巻線を有するトランスを有し、入力巻線から出力巻線に電磁誘導を利用して複数の電池の電圧を均等にする回路である。そして、上記のようなトランス結合方式のセルバランス回路においては、均等化に要する時間を短縮することが望まれている。
【０００３】
関連する技術として、単電池の充放電を管理する複数の充放電管理ユニットと、充放電管理ユニットのそれぞれを制御して各単電池の充放電を調整する充放電調整ユニットと、が各単電池の充放電を行うトランスを介して信号伝達を行う充放電装置が知られている。例えば、特許文献１。
【０００４】
また、他の関連する技術として、２次電池を直列接続して用いる電源システムに関連して、各電池の電圧を高度に均等化することができ、かつ簡単で安価に実現可能なバランス補正方法および装置が知られている。それらのバランス補正方法および装置によれば、直列接続されている２次電池の接続点にインダクタの一端を接続しておき、第１モードと第２モードとを短時間ずつ交互に繰り返す動作を適当な期間実行し、電池Ｂ１と電池Ｂ２の電圧を均等化する。第１モードは、インダクタの他端を電池Ｂ１の他端に接続することで形成される第１閉回路に電流を流す。第２モードは、インダクタの他端を電池Ｂ２の他端に接続することで形成される第２閉回路に電流を流す。例えば、特許文献２。
【０００５】
しかしながら上記の技術は何れも、トランス結合方式のセルバランス回路における均等化に要する時間を短縮するものでない。
【先行技術文献】
【特許文献】
【０００６】
【特許文献１】特開２０１１−１５５７２２号公報
【特許文献２】特開２００１−１８５２２９号公報
【発明の概要】
【発明が解決しようとする課題】
【０００７】
本発明は上記のような実情に鑑みてなされたものであり、電池の均等化に要する時間を短縮する電池充電装置および電池充電方法を提供することを目的とする。
【課題を解決するための手段】
【０００８】
本実施形態のひとつである電池充電装置は組電池、トランス、第１のスイッチ、第２のスイッチ、電圧計測部、電流計測部、ダイオード、制御部を備える。組電池は、複数の電池が直列に接続されている。組電池は複数の電池が直列に接続される。トランスは、第１の巻線と電池各々に並列に接続される複数の第２の巻線を有する。第１のスイッチは、第１の巻線と直列に接続され、組電池と並列に接続される。複数の第２のスイッチは、電池と第２の巻線とを接続する配線の間に設けられる。電圧計測部は、電池各々の電圧を計測する。電流計測部は、電池各々への充電電流と、組電池から出力される放電電流と、を計測する。ダイオードは、第２の巻線から電池へ一定方向の電流を流す。制御部は、電圧計測部と電流計測部の計測結果を用いて第１のスイッチと第２のスイッチの切り替え制御を行うセルバランス処理を実行する。
【０００９】
制御部は、平均充電率と最も小さい充電率との差から目標積算充電量を求め、最も小さい充電率の電池を特定し、特定した電池に対応する第２のスイッチを接続状態にさせ、他の第２のスイッチを遮断状態にさせる。続いて、特定した電池へ供給される充電電流と放電電流との差を積算して積算電流量を求め、積算電流量が目標積算充電量になるまで第１のスイッチに接続と遮断を繰り返させる制御をする。
【発明の効果】
【００１０】
本実施形態によれば、均等化に要する時間を短縮することができるという効果を奏する。
【図面の簡単な説明】
【００１１】
【図１】電池充電装置においてセルバランス処理を実施した際の電流を示す図である。
【図２】電池充電装置の一実施例を示す図である。
【図３】電池充電装置の動作の一実施例を示すフロー図である。
【図４】電池のＯＣＶ−ＳＯＣの関係を示すグラフとＯＣＶ−ＳＯＣ情報のデータ構造の一実施例を示す図である。
【図５】電池充電装置の一実施例を示す図である。
【図６】電池充電装置においてセルバランス処理を実施した際の効果を示す図である。
【発明を実施するための形態】
【００１２】
図１は、電池充電装置においてセルバランス処理を実施した際の電流を示す図である。図１のセルバランス回路は複数の電池２ａ〜２ｄが直列に接続されている組電池、トランスＴ１、第１のスイッチＳＷ５、第２のスイッチＳＷ１〜ＳＷ４、ダイオードＤ１〜Ｄ４を有し、セルバランス処理を行う回路である。セルバランス処理は、第１のスイッチＳＷ５をオン／オフ（接続／遮断）させ交流電流を生成させ、生成された交流電流を入力巻線Ｌ０から電磁誘導を利用して複数の出力巻線Ｌ１〜Ｌ４に送電し、複数の電池２ａ〜２ｄの充電容量を均等にする処理である。例えば、電池２ａ、２ｂ、２ｃ、２ｄに対応する出力巻線Ｌ１〜Ｌ４各々のうち充電量の低い電池に電流を流して充電をする。すなわち、電圧の高い電池から放電をして電圧の低い電池を充電する。図１のセルバランス回路において、例えば電池２ａ、２ｂ、２ｃが同じ電圧でかつ電池２ｄの電圧より高い場合、第１のスイッチＳＷ５を用いてセルバランス処理をすると、電池２ａ〜２ｄから入力巻線Ｌ０にＴＰ０で計測される放電電流（実線）が供給される。その結果、出力巻線Ｌ４を介して電池２ｄにＴＰ４で計測される充電電流（破線）が流れる。平均電圧より高い電圧の電池から平均電圧より低い電圧の電池に充電が行われる。なお、ＴＰ１〜ＴＰ３各々は出力巻線Ｌ１〜Ｌ３各々を介して電池２ａ〜２ｃに流れる電流を計測する位置である。
【００１３】
本実施形態のセルバランス処理について説明する。
電池２ａ〜２ｄの充電率（ＳＯＣ（state of charge））の平均ＳＯＣ＿ａｖｇと、電池２ａ〜２ｄのうち充電率が最も低い電池の充電率ＳＯＣ＿ｍｉｎとの差ＳＯＣ＿ｓｕｂを求める。その差ＳＯＣ＿ｓｕｂを用いて目標積算充電量Ｉｔａｒｇｅｔ［Ａｈ］を求める。目標積算充電量Ｉｔａｒｇｅｔ［Ａｈ］は式１により求めることが考えられる。
【００１４】
ＳＯＣ＿ｓｕｂ＝ＳＯＣ＿ａｖｇ−ＳＯＣ＿ｍｉｎ              式１
Ｉｔａｒｇｅｔ＝Ｉｆｕｌｌ×（ＳＯＣ＿ｓｕｂ／１００）
本例では、電池に充電可能な最大充電量を充電率１００％とし、Ｉｆｕｌｌ［Ａｈ］とする。実際に使用する電池容量（スイング容量）を充電率Ｘ％〜Ｙ％の範囲とし、充電率Ｘ％、Ｙ％は充電率０％＜Ｘ％＜Ｙ％＜１００％の範囲に設定する。そして、充電率Ｙ％に対応する充電量を満充電量とする。
【００１５】
例えば、電池２ａ〜２ｄのＳＯＣ＿ａｖｇが７０％で、ＳＯＣ＿ｍｉｎが電池２ｄの６０％で、Ｉｆｕｌｌが１００［Ａｈ］であるとき、Ｉｔａｒｇｅｔは１００／（１０／１００）＝１０［Ａｈ］となる。
【００１６】
続いて、第２のスイッチＳＷ４を接続状態にして第１のスイッチＳＷ５をオン／オフさせて電池２ａ〜２ｄの均等化を実行し、ＴＰ０で放電電流を計測し、ＴＰ４で充電電流を計測し、放電電流と充電電流との差を積算して積算充電量Ｉｉｎｔ［Ａｈ］を求める。
【００１７】
続いて、積算充電量Ｉｉｎｔ［Ａｈ］が目標積算充電量Ｉｔａｒｇｅｔ［Ａｈ］に達したらスイッチＳＷ５をオフ（遮断状態）にする。
このように、目標積算充電量Ｉｔａｒｇｅｔ［Ａｈ］に達したら分極に関係なく定電流充電を終了させることで、均等化に要する時間を短縮させることができる。
【００１８】
以下図面に基づいて、本実施形態について詳細を説明する。
図２は、電池充電装置の一実施例を示す図である。図２の電池充電装置は組電池、トランスＴ１、第１のスイッチＳＷ５、第２のスイッチＳＷ１〜ＳＷ４、電圧計測部３ａ〜３ｄ、電流計測部４ａ〜４ｅ、ダイオードＤ１〜Ｄ４、制御部５、記憶部６を有している。
【００１９】
組電池は複数の電池２ａ〜２ｄが直列に接続されている。電池２ａ〜２ｄは二次電池などを用いることが考えられる。二次電池として、例えば、リチウムイオン二次電池、ニッケル水素二次電池などが考えられる。なお、本例では４つの電池を用いて説明しているが４つに限定されるものではない。
【００２０】
トランスＴ１は、第１の巻線Ｌ０と電池２ａ〜２ｄ各々に並列に接続される複数の第２の巻線Ｌ１〜Ｌ４を有する。
第１のスイッチＳＷ５は、第１の巻線Ｌ０と直列に接続され、組電池と並列に接続されている。本例では、ＭＯＳＦＥＴ（Metal-Oxide-Semiconductor Field-Effect Transistor）を用いているが限定されるものではない。
【００２１】
複数の第２のスイッチＳＷ１〜ＳＷ４は、電池２ａ〜２ｄと第２の巻線Ｌ１〜Ｌ４とを接続する配線の間に設けられる。また、第２のスイッチＳＷ１は電池２ａの正極端子とダイオードＤ１のカソードとの間に設ける。第２のスイッチＳＷ２は電池２ｂの正極端子とダイオードＤ２のカソードとの間に設ける。第２のスイッチＳＷ３は電池２ｃの正極端子とダイオードＤ３のカソードとの間に設ける。第２のスイッチＳＷ４は電池２ｄの正極端子とダイオードＤ４のカソードとの間に設ける。例えば、ＭＯＳＦＥＴなどを用いてもよい。
【００２２】
電圧計測部３ａ〜３ｄは電池２ａ〜２ｄ各々の電圧を計測する。例えば、電圧計などが考えられる。また、電圧計測部３ａ〜３ｄが計測したデータは制御部５に出力される。
電流計測部４ａは放電電流を計測し、電流計測部４ｂ〜４ｅは充電電流を計測する。例えば、電流計などが考えられる。また、電流計測部４ａ〜４ｅが計測したデータは制御部５に出力される。
【００２３】
ダイオードＤ１は第２の巻線Ｌ１から電池２ａへ一定方向の電流を流す。ダイオードＤ２は第２の巻線Ｌ２から電池２ｂへ一定方向の電流を流す。ダイオードＤ３は第２の巻線Ｌ３から電池２ｃへ一定方向の電流を流す。ダイオードＤ４は第２の巻線Ｌ４から電池２ｄへ一定方向の電流を流す。
【００２４】
制御部５は、電圧計測部３ａ〜３ｄ各々が計測した電池２ａ〜２ｄの開放回路電圧（ＯＣＶ（open circuit voltage））を取得し、ＯＣＶを用いてＳＯＣ各々を求める。求めたＳＯＣ各々を用いてＳＯＣの平均ＳＯＣ＿ａｖｇを求める。また、最もＳＯＣの低い電池を特定しＳＯＣ＿ｍｉｎとし、電池２ａ〜２ｄのうち特定した電池に対応する第２のスイッチを接続状態にさせる。また、特定した電池以外に対応する他の第２のスイッチを遮断状態にさせる。ＯＣＶはスイッチＳＷ１〜ＳＷ５を遮断状態にして測定する。ＳＯＣは記憶部６などに記憶した後述するＯＣＶとＳＯＣが関連付けられたＯＣＶ−ＳＯＣ情報を用いて求める。例えば、テーブルなどが考えられる。
【００２５】
なお、電池各々のＳＯＣの求め方は、開放回路電圧ＯＣＶを計測する方法に限らず、積算電流値に基づいて、又は閉開路電圧を利用して求められる推定ＯＣＶに基づいて充電／放電終了時のＳＯＣを推定し、それを使用してもよい。
【００２６】
また、電池２ａ〜２ｄのＳＯＣ＿ａｖｇと、ＳＯＣ＿ｍｉｎとの差ＳＯＣ＿ｓｕｂを求め、その差ＳＯＣ＿ｓｕｂを用いて目標積算充電量Ｉｔａｒｇｅｔ［Ａｈ］を求める。続いて、特定した電池に対応する第２のスイッチを接続状態にしてスイッチＳＷ５をオン／オフさせて電池２ａ〜２ｄの均等化を実行し、放電電流と充電電流を計測し、放電電流と充電電流との差を積算して積算充電量Ｉｉｎｔ［Ａｈ］を求める。続いて、積算充電量Ｉｉｎｔ［Ａｈ］が目標積算充電量Ｉｔａｒｇｅｔ［Ａｈ］に達したら第１のスイッチＳＷ５をオフ（遮断状態）にする。
【００２７】
なお、第１のスイッチＳＷ５のオン／オフを繰り返させる制御は、例えば、デューティ５０％の決められた周期のパルス信号を用いることが考えられる。ただし、接続と遮断の制御は５０％に限定されるものではない。
【００２８】
図２の電池充電装置の構成について説明する。
トランスＴ１の一方の端子は電流計測部４ａの一方の端子に接続され、電流計測部４ａの他方の端子は組電池の電池２ａの正極端子に接続され、トランスＴ１の他方の端子は第１のスイッチＳＷ５の一方の端子に接続される。第１のスイッチＳＷ５の他方の端子は組電池の電池２ｄの負極端子に接続される。また、第１のスイッチＳＷ５の接続と遮断を制御するための端子は制御部５に接続されている。
【００２９】
また、第２のスイッチＳＷ１〜ＳＷ４各々の接続と遮断を制御するための端子は制御部５に接続されている。
第２のスイッチＳＷ１の一方の端子は電流計測部４ｂの一方の端子に接続され、電流計測部４ｂの他方の端子はダイオードＤ１のカソードに接続され、第２のスイッチＳＷ１の他方の端子は電池２ａの正極端子と電圧計測部３ａの一方の端子に接続されている。ダイオードＤ１のアノードとトランスＴ１の第２の巻線Ｌ１の一方の端子と接続されている。電圧計測部３ａの他方の端子は電池２ａの負極端子とトランスＴ１の第２の巻線Ｌ１の他方の端子と接続されている。
【００３０】
第２のスイッチＳＷ２の一方の端子は電流計測部４ｃの一方の端子に接続され、電流計測部４ｃの他方の端子はダイオードＤ２のカソードに接続され、第２のスイッチＳＷ２の他方の端子は電池２ｂの正極端子と電圧計測部３ｂの一方の端子に接続されている。ダイオードＤ２のアノードとトランスＴ１の第２の巻線Ｌ２の一方の端子と接続されている。電圧計測部３ｂの他方の端子は電池２ｂの負極端子とトランスＴ１の第２の巻線Ｌ２の他方の端子と接続されている。
【００３１】
第２のスイッチＳＷ３の一方の端子は電流計測部４ｄの一方の端子に接続され、電流計測部４ｄの他方の端子はダイオードＤ３のカソードに接続され、第２のスイッチＳＷ３の他方の端子は電池２ｃの正極端子と電圧計測部３ｃの一方の端子に接続されている。ダイオードＤ３のアノードとトランスＴ１の第２の巻線Ｌ３の一方の端子と接続されている。電圧計測部３ｃの他方の端子は電池２ｃの負極端子とトランスＴ１の第２の巻線Ｌ３の他方の端子と接続されている。
【００３２】
第２のスイッチＳＷ４の一方の端子は電流計測部４ｅの一方の端子に接続され、電流計測部４ｅの他方の端子はダイオードＤ４のカソードに接続され、第２のスイッチＳＷ４の他方の端子は電池２ｄの正極端子と電圧計測部３ｄの一方の端子に接続されている。ダイオードＤ４のアノードとトランスＴ１の第２の巻線Ｌ４の一方の端子と接続されている。電圧計測部３ｄの他方の端子は電池２ｄの負極端子とトランスＴ１の第２の巻線Ｌ４の他方の端子と接続されている。
【００３３】
電圧計測部３ａ〜３ｄと電流計測部４ａ〜４ｅの出力端子は制御部５に接続されている。
図３の充電装置の制御部の動作について説明する。
【００３４】
図３は、電池充電装置の動作の一実施例を示すフロー図である。ステップＳ３０１では、電池２ａ〜２ｄのＯＣＶをそれぞれ計測した電圧計測部３ａ〜３ｄからデータを制御部５が取得する。
【００３５】
ステップＳ３０２では、制御部５が取得したＯＣＶの最大値と最小値との差が決められたセルバランス範囲内か否かを判定する。セルバランス範囲外の場合（Ｙｅｓ）はステップＳ３０３に移行し、セルバランス範囲内の場合（Ｎｏ）は処理を終了する。
【００３６】
ステップＳ３０３では、制御部５は取得した電池２ａ〜２ｄのＯＣＶそれぞれを用いて電池２ａ〜２ｄ各々のＳＯＣを求める。例えば、制御部５はＯＣＶを用いて、図４に示すＯＣＶ−ＳＯＣ情報４０２を参照し、ＳＯＣを求める。
【００３７】
図４は、電池のＯＣＶ−ＳＯＣの関係を示すグラフとＯＣＶ−ＳＯＣ情報のデータ構造の一実施例を示す図である。図４のグラフは電池のＯＣＶとＳＯＣの関係を示す実験データまたはシミュレータにより求められたデータなどを基に生成されるもので、縦軸にＯＣＶを表し、横軸にＳＯＣが表されている。グラフ４０１に基づいて作成される図４のＯＣＶ−ＳＯＣ情報４０２は、「開放回路電圧［Ｖ］ＯＣＶ」「充電率［％］ＳＯＣ」に記憶される情報を有している。「開放回路電圧［Ｖ］ＯＣＶ」には電池の開放回路電圧が記憶されている。本例では、開放回路電圧を表す「ＯＣＶ１」「ＯＣＶ２」・・・「ＯＣＶ２１」などが記憶されている。「充電率［％］ＳＯＣ」にはＯＣＶに関連付けられたＳＯＣが記憶されている。本例では、開放回路電圧を表す「ＯＣＶ１」「ＯＣＶ２」・・・「ＯＣＶ２１」各々に関連付けられ「１００」「９５」・・・「０」が記憶されている。
【００３８】
ステップＳ３０４では、制御部５が取得したＳＯＣを用いて電池２ａ〜２ｄの平均ＳＯＣ＿ａｖｇを求める。
ステップＳ３０５では、制御部５が取得したＳＯＣから最小のＳＯＣの電池を特定しＳＯＣ＿ｍｉｎを求める。その後、ＳＯＣ＿ａｖｇとＳＯＣ＿ｍｉｎとの差を求める。
【００３９】
ステップＳ３０６では、制御部５が目標積算充電量Ｉｔａｒｇｅｔ［Ａｈ］を求める。式１を参照。
ステップＳ３０７では、制御部５が取得した電池２ａ〜２ｄうちで最小のＳＯＣの電池に対応する第２のスイッチを接続状態（オン）にする。また、それ以外の第２のスイッチを遮断状態（オフ）にする。図２では第２のスイッチＳＷ４を接続状態（オン）にし、第２のスイッチＳＷ１〜ＳＷ３を遮断状態（オフ）にする。
【００４０】
ステップＳ３０８では、制御部５が特定した電池の電圧が全ての電池の平均ＳＯＣと同じまたは超えるまで第１のスイッチＳＷ５の接続と遮断を繰り返す。すなわち、セルバランス処理を実行する。
【００４１】
ステップＳ３０９では、制御部５が放電電流と充電電流を取得し、放電電流と充電電流との差を積算して積算電流量Ｉｉｎｔ［Ａｈ］を求める。本例では、ＴＰ０で計測した放電電流とＴＰ４で計測した充電電流とを取得して差を求め、その差を積算して積算電流量Ｉｉｎｔ［Ａｈ］を求める。
【００４２】
ステップＳ３１０では、制御部５がＩｔａｒｇｅｔ≦Ｉｉｎｔか否かを判定し、Ｉｔａｒｇｅｔ≦Ｉｉｎｔである場合（Ｙｅｓ）はステップＳ３１１に移行し、Ｉｔａｒｇｅｔ≦Ｉｉｎｔでない場合（Ｎｏ）はステップＳ３０８に移行する。
【００４３】
ステップＳ３１１では制御部５がセルバランス処理を停止する。すなわち、制御部５が第１のスイッチＳＷ５の制御を停止する。
本実施形態の効果について図５と図６を用いて説明する。図５は、電池充電装置の一実施例を示す図である。図６は、電池充電装置においてセルバランス処理を実施した際の効果を示す図である。
【００４４】
図６のＡでは、図５に示す回路において電池各々の電圧が平均電圧値になるまで定電流充電（ＣＣ領域１での充電）をする。その後、電池各々の電圧が平均電圧値になると電流を徐々に絞りながら分極の影響を解消しながらセルバランス処理を行う、図６のＡに示す定電圧での充電（ＣＶ領域での充電）行う。図６のＡの電圧−時間特性のグラフに示される６０１（実線）は図５の電池２ａのＯＣＶの変化を示し、６０２（実線）は図５の電池２ｂのＯＣＶの変化を示している。６０３（破線）は図５の電池２ａの閉路電圧（ＣＣＶ（closed circuit voltage））の変化を示し、６０４（破線）は図５の電池２ｂのＣＣＶの変化を示している。図６のＡの電流−時間特性のグラフに示される６０５（実線）は図５の電池２ｂの充電電流（ＴＰ２）の変化を示し、６０６（実線）は図５の電池２ａの放電電流（ＴＰ０）の変化を示している。
【００４５】
図６のＢでは、図５に示す回路において積算電流量Ｉｉｎｔが目標積算充電量Ｉｔａｒｇｅｔになるまで定電流充電（ＣＣ領域）を行う場合の電圧特性と電流特性を示している。電流−時間特性のグラフに示される６０７（実線）は図５の電池２ａのＯＣＶの変化を示し、６０８（実線）は図５の電池２ｂのＯＣＶの変化を示している。６０９（破線）は図５の電池２ａのＣＣＶの変化を示し、６１０（破線）は図５の電池２ｂのＣＣＶの変化を示している。図６のＢの電流−時間特性のグラフに示される６１１（実線）は図５の電池２ｂの充電電流（ＴＰ２）の変化を示し、６１２（実線）は図５の電池２ａの放電電流（ＴＰ０）の変化を示している。
【００４６】
すなわち、図６のＡのように分極の影響を解消しながらセルバランス処理を行わないで、図６のＢのＣＣ領域２と分極解消時間に対応する時間を、図６のＡのＣＣ領域１とＣＶ領域に対応する時間より短い時間にすることができる。
【００４７】
本実施形態によれば、セルバランスに要する時間を短縮することができるという効果を奏する。
また、本発明は、上記実施の形態に限定されるものでなく、本発明の要旨を逸脱しない範囲内で種々の改良、変更が可能である。
【符号の説明】
【００４８】
１  電池充電装置、
２ａ、２ｂ、２ｃ、２ｄ  電池、
３ａ、３ｂ、３ｃ、３ｄ  電圧計測部、
４ａ、４ｂ、４ｃ、４ｄ、４ｅ  電流計測部、
５  制御部、
６  記憶部、
Ｄ１、Ｄ２、Ｄ３、Ｄ４  ダイオード、
Ｌ０  入力巻線（第１の巻線）、
Ｌ１、Ｌ２、Ｌ３、Ｌ４  出力巻線（第２の巻線）、
Ｔ１  トランス、
ＳＷ５  第１のスイッチ、
ＳＷ１、ＳＷ２、ＳＷ３、ＳＷ４  第２のスイッチ、
【図１】
2014007885.tif 000003
【図２】
2014007885.tif 000004
【図３】
2014007885.tif 000005
【図５】
2014007885.tif 000006
【図６】
2014007885.tif 000007
【図４】
2014007885.tif 000008